(57)【特許請求の範囲】
【請求項１】
椅子の支基上の座板取付金具に、左右両側に位置し、かつ前後方向を向くレールを、座板の左右下部を摺動可能に案内するように設け、前記座板及び前記座板取付金具の一方には係合部、同じく他方には、前記係合部が前後方向の複数位置で上下方向に係合可能な被係合部を設け、前記座板の端部を持ち上げることにより、前記係合部と前記被係合部との係合状態が解除されて、前記座板を、前記座板取付金具に対して前後移動させうるようにし、さらに前記レールの底辺に大径孔と、大径孔に引き続いて後方に向かって延びる小径の長孔とからなる取付孔を穿設するとともに、前記座板の裏面に、レールの取付孔における大径孔に対応させて、長孔の幅と同じか、または若干小径とされた軸と、軸の先端に設けられ、大径孔より小径かつ長孔の幅より大径の鍔とからなる鍔付き取付軸を、下方に向かって突設し、前記取付軸における軸の長さは、前記座板を持ち上げて、前記係合部と前記被係合部との係合を解除するのに十分な長さとしたことを特徴とする座の前後位置調整装置。
【請求項２】
係合部を、下方に突出する突起とし、かつ被係合部を、前記突起を収容するように前後方向に列設した複数の凹溝とした、請求項１記載の座の前後位置調整装置。
【請求項３】
係合部を構成する突起を複数とした、請求項２記載の座の前後位置調整装置。
【請求項４】
左右のレールの前部内側に被係合部を設けた、請求項１〜３のいずれかに記載の座の前後位置調整装置。
【請求項５】
左右のレール間の後部中央に被係合部を設けた、請求項１〜３のいずれかに記載の座の前後位置調整装置。
【発明の詳細な説明】
【０００１】
【発明の属する技術分野】
本発明は、椅子の座の前後位置調整装置に関する。
【０００２】
【従来の技術】
従来の回転椅子には、背凭れに寄り掛かる座者の荷重により、背凭れが後方に揺動し、かつ座が傾動するとともに前後動するようにしたものがある。このような機構のものは、座者の座り心地を改善し、疲労感をなくすという利点がある。
【０００３】
【発明が解決しようとする課題】
近年のパソコン等のＯＡ機器の普及により、回転椅子において、上述のような座の傾動機構ばかりでなく、背凭れや肘掛けに対する座の前後位置を微妙に調節して、机上のパソコンのキーボード使用時における座者の背凭れ及び肘掛けに対する関係位置を最適に保ちたいという要求が生じている。これは、座者の体格の相違による個人差に基づくものである。
【０００４】
本発明は、上述の問題点に鑑み、簡単な構造により、回転椅子の座の前後位置を調整しうるようにしたことを目的としている。
【０００５】
【課題を解決するための手段】
本発明によると、上記課題は、次のようにして解決される。
(１)椅子の支基上の座板取付金具に、左右両側に位置し、かつ前後方向を向くレールを、座板の左右下部を摺動可能に案内するように設け、前記座板及び前記座板取付金具の一方には係合部、同じく他方には、前記係合部が前後方向の複数位置で上下方向に係合可能な被係合部を設け、前記座板の端部を持ち上げることにより、前記係合部と前記被係合部との係合状態が解除されて、前記座板を、前記座板取付金具に対して前後移動させうるようにし、さらに前記レールの底辺に大径孔と、大径孔に引き続いて後方に向かって延びる小径の長孔とからなる取付孔を穿設するとともに、前記座板の裏面に、レールの取付孔における大径孔に対応させて、長孔の幅と同じか、または若干小径とされた軸と、軸の先端に設けられ、大径孔より小径かつ長孔の幅より大径の鍔とからなる鍔付き取付軸を、下方に向かって突設し、前記取付軸における軸の長さは、前記座板を持ち上げて、前記係合部と前記被係合部との係合を解除するのに十分な長さとする。
【０００６】
(２) 上記(１)項において、係合部を、下方に突出する突起とし、かつ被係合部を、前記突起を収容するように前後方向に列設した複数の凹溝とする。
【０００７】
(３) 上記(２)項において、係合部を構成する突起を複数とする。
【０００８】
(４) 上記(１)〜(３)項のいずれかにおいて、左右のレールの前部内側に被係合部を設ける。
【０００９】
(５) 上記(１)〜(３)項のいずれかにおいて、左右のレール間の後部中央に被係合部を設ける。
【００１０】
【発明の実施の形態】
図１は、本発明装置の一実施形態を備えるキャスター付き回転椅子の分解斜視図で、キャスター付きの脚(１)の上面中央に、支基(２)が回転自在に装架されている。支基(２)の後部において左右方向に延びる横軸(３)には、背凭れ(４)の左右を支持し、その下端から前方に延びる背杆(５)の先端に設けた左右方向を向く軸筒(６)が軸着されている。座板取付金具(７)の後部左右の軸受部(８)には、背凭れ(４)の背杆(５)の中間位置に設けられた耳片(９)が回動可能に収容され、軸受部(８)の外端には、肘掛け支柱(10)の下端部が取り付けられている。
【００１１】
座板取付金具(７)の前端部には、下方に突出する耳片(11)が設けられ、耳片(11)は、これが、支基(２)の前部に設けた長孔(12)に、ピンにより取り付けられている。
【００１２】
図１〜図３に示すように、座板取付金具(７)は、後部の左右方向に延びる横杆(13)の左右端部に、前後方向に延びる断面上向コ形のレール(14)を、強固に溶接して構成されている。
【００１３】
横杆(13)は、鋼板を断面上向きコ字状に曲げ、その両端を水平方向外側に曲げてフランジとしたもので、両端部付近を上部から切り欠き、この切り欠き部分に、レール(14)をはめ込んで溶接してある。
【００１４】
レール(14)も、同様に鋼板を断面上向きコ字状に曲げて形成してなり、その内側端は、水平に曲げてフランジ(14a)が形成されており、フランジ(14a)の前端部付近には、多数段の凹溝(15)(図示の場合６段)が、前後方向に列設されている。この凹溝(15)は、後述する座板の突起に嵌合する被係合部を構成している。
【００１５】
レール(14)の前部及び後部において、その底片には、大径孔(16a)と、これに引き続いて後方に向かって延びる小径の長孔(16b)とからなる取付孔(16)が穿設されている。
なお、レール(14)の前部の内側には、前述の耳片(11)が設けられている。
【００１６】
図１に示す座(17)の下部における座板(18)は、図４に示すように、その裏面に、レール部(７)の外側の立ち上がり部の内側に接する位置に、前後方向に長く延びる突条(20)を備えている。
【００１７】
また、図４及び図５に示すように、座板(18)の裏面には、座板取付金具(７)のレール(14)に穿設した取付孔(16)に対応して突設した鍔付き取付軸(19)が、下方に向けて突設されている。この取付軸(19)の鍔(19a)の径は、取付孔(16)の大径孔(16a)よりも若干小径とされている。また、取付軸(19)の径は、長孔(16b)の幅と同じか、若干小径とされている。
なお、図４には、座板取付金具(７)の取付孔(16)の位置も併せて示してある。
【００１８】
座板(18)の裏面の前部付近には、座板取付金具(７)のレール(14)の凹溝(15)に対応する左右位置に、係合部を構成する２つの突起(21a)を備える突起部材(21)が取り付けられている。
【００１９】
さらに、図４及び図５に示すように、座板(18)の後部には、座板取付金具(７)のレール(14)に対応する左右方向位置にストッパ(22)が取り付けられる。
【００２０】
座板(18)の下面に突設された突条(20)を、レール(14)の外側の立ち上がり部の内側に接するようにして挿入するとともに、取付軸(19)の鍔(19a)を、座板取付金具(７)の取付孔(16)の大径孔(16a)に上方より挿通する。
【００２１】
このような挿通状態から、座板(18)を若干上方に持ち上げ加減にしながら後方に引くと、座板(18)の突条(20)はレール(14)により案内されて、座板(18)は後方に移動し、取付軸(19)は取付孔(16)の長孔(16b)にはまりこむ。手を離すと、座板(18)の突起(21a)は、凹溝(15)に嵌合する。
【００２２】
この状態で、ストッパ(22)を座板(18)の後部に固定すると、座板(18)を同様にして前方に移動させても、ストッパ(22)がレール(14)の後端に当接して、取付軸(19)が取付孔(16)の大径孔(16a)まで達せず、従って座板(18)が座板取付金具(７)から外れなくなる。
【００２３】
座(17)の前後位置の調節に当たっては、図６に示すように、座板(18)の前端を点線矢印で示すようにやや持ち上げ、座板(18)の下面の突起(21a)を、座板取付金具(７)のレール部(14)の凹溝(15)から離す。取付軸(19)の長さは、これを可能とするに充分な長さとされている。
【００２４】
この状態で、図６の上部に点線矢印により示すように、座板(18)を前後方向に移動させて所望位置とし、座板(18)の前部を下ろすと、突起(21a)は、新たた凹溝(15)と係合し、その位置で係止される。
【００２５】
図７は、本発明の変形例を示すもので、突起(23)は、座板(18)の後部中央に設けられており、かつ座板取付金具(７)の横杆(13)の中央に、対応する凹溝(24)が設けられている。この例では、座の後端を持ち上げて前後位置の調整を行う。
【００２６】
なお、図示は省略するが、凹溝(15)をレール(14)のフランジ(14a)自体に設けず、フランジ(14a)の内側に別部材として取り付けることもできる。
【００２７】
【発明の効果】
請求項１記載の発明によれば、簡単な機構で、容易に座の前後位置の調節を行うことができる。
【００２８】
請求項２記載の発明によれば、突起と、これに嵌合する凹溝という単純な構成で確実な前後方向の移動及び係止を行うことができる。
【００２９】
請求項３記載の発明によれば、係止部が分散され、故障なく確実に作用する。
【００３０】
請求項４記載の発明によれば、手を掛けやすい座の前部を持ち上げることにより、座の前後位置の調節を行うことができる。
【００３１】
請求項５記載の発明によれば、座の後部を持ち上げて、座の前後位置の調節を行うようにすることができる。
【図面の簡単な説明】
【図１】本発明装置の一実施形態を備えた回転椅子の分解斜視図である。
【図２】図１に示す椅子の座板取付金具の斜視図である。
【図３】同じく、座板取付金具の平面図である。
【図４】同じく、座板の裏面図である。
【図５】同じく、座板取付金具と座板とを、離した状態で示す側面図である。
【図６】同じく、座板取付金具と座板とを、結合した状態で示す側面図である。
【図７】変形例の座板取付金具と座板とを、離した状態で示す斜視図である。
【符号の説明】
(１)脚
(２)支基
(３)横軸
(４)背凭れ
(５)背杆
(６)軸筒
(７)座板取付金具
(８)軸受部
(９)耳片
(10)肘掛け支柱
(11)耳片
(12)長孔
(13)横杆
(14)レール
(14a)フランジ
(15)凹溝(被係合部)
(16)取付孔
(16a)大径孔
(16b)長孔
(17)座
(18)座板
(19)取付軸
(19a)鍔部
(20)突条
(21)突起部材
(21a)突起(係合部)
(22)ストッパ
(23)突起
(24)凹溝
【図１】
0004759128.tif 000002
【図２】
0004759128.tif 000003
【図３】
0004759128.tif 000004
【図４】
0004759128.tif 000005
【図５】
0004759128.tif 000006
【図６】
0004759128.tif 000007
【図７】
0004759128.tif 000008